(57)【要約】【課題】どのような場所においても児童を覚えている第三者が多くなり、児童犯罪の発生場所、犯人特定等の捜査が有効に行えることで、その検挙率を高めて、その防止を図ること。【解決手段】Ｔシャツ、トレーナー、ランドセル、かばん、くつ、腕時計、帽子などの児童が身体につける身の回り品の表面に、その児童の顔写真、所属団体名、緊急連絡先を記載した人物特定情報を直ちに視認可能な部位、大きさで表示する。【選択図】図１ 
0003116988.tif 000002
【実用新案登録請求の範囲】
【請求項１】
児童が身体につける身の回り品であって、該児童の人物特定を可能とする人物特定情報を表示した児童犯罪防止のための身の回り品。
【請求項２】
前記人物特定情報には、少なくとも前記児童の顔写真、所属団体名、緊急連絡先が記載されていることを特徴とする請求項１に記載の児童犯罪防止のための身の回り品。
【請求項３】
前記人物特定情報は、前記身の回り品の表面において直ちに視認可能な部位、大きさで表示されていることを特徴とする請求項１乃至２に記載の児童犯罪防止のための身の回り品。
【請求項４】
前記身の回り品が、Ｔシャツ、トレーナー、セーター、ジャンバー、ランドセル、かばん、くつ、腕時計、帽子からなる群より選ばれる一の身の回り品であることを特徴とする請求項１乃至３に記載の児童犯罪防止のための身の回り品。
【考案の詳細な説明】
【技術分野】
【０００１】
本考案は、社会問題ともなっている誘拐、性犯罪など、児童に対する犯罪について、万が一これらが発生しようとする場合に現場付近の第三者が容易に視認できる児童の身の回り品に関する。
【背景技術】
【０００２】
近年、児童に対する犯罪が多発し、また凶悪化の一方をたどっているため、児童を持つ両親の不安は著しく増大している。このような犯罪は、自らの意思が薄弱な児童に甘言をもって誘いかけ、そのまま連れ去る等の悪質な手口によるものがほとんどだが、学校や塾などの通学路や課外現場において起きる可能性が高く、教師や両親が児童に一日中付き添うわけにはいかないので、その防止が極めて困難である。
【０００３】
その結果、児童に携帯電話等を持たせ、帰宅時間が遅くなるような塾などのケースではその都度連絡させて安全を確認し、夜間になる場合には送迎する等が社会の一般的傾向となっているが、犯罪者は児童のすきをついて犯行に及ぶので犯罪防止に大きな効果をもたらしているとは言い難く、このような事件の発生を未然に防止できる考案がされれば、社会にもたらす意義は極めて大きい。
【考案の開示】
【考案が解決しようとする課題】
【０００４】
本考案は、児童が身体につける身の回り品につき、その人物特定を可能とする情報を表示した防犯情報表示領域を設けることにより、万が一、児童を甘言により連れ去ろうとする者があっても、現場付近の第三者に身の回り品によって容易に視認されてしまうので、そのような犯行に及ぶことが極めて困難で、また捜査の役に立つ証拠を残し易くなるため、そのような凶悪犯罪の発生を抑止しかつ未然に防止できる身の回り品を提供することを目的とする。
【課題を解決するための手段】
【０００５】
本考案は上記課題を解決するための手段として、請求項１に記載された考案は、児童が身体につける身の回り品であって、該児童の人物特定を可能とする人物特定情報を表示した児童犯罪防止のための身の回り品であることを特徴とする。請求項２に記載された考案は、請求項１に記載の児童犯罪防止のための身の回り品において、前記人物特定情報には、少なくとも前記児童の顔写真、所属団体名、緊急連絡先が記載されていることを特徴とする。請求項３に記載された考案は、請求項１乃至２に記載の児童犯罪防止のための身の回り品において、前記人物特定情報は、前記身の回り品の表面における直ちに視認可能な部位、大きさで表示されていることを特徴とする。
【０００６】
したがって、児童を対象にする凶悪犯罪が発生した場合に、例えば、テレビ等でその顔写真を公開し、その事件に関する情報を極めて収集し易くなる。また、人物特定情報が表示された身の回り品が廃棄してあるときには、そのような犯罪が発生した可能性を直ちに発見し、迅速な対応が可能となる。
【０００７】
また、請求項４に記載された考案は、請求項１乃至３に記載の児童犯罪防止のための身の回り品において、前記身の回り品が、Ｔシャツ、トレーナー、セーター、ジャンバー、ランドセル、かばん、くつ、腕時計、帽子からなる群より選ばれる一の身の回り品であることを特徴とする。
【０００８】
したがって、児童が身に付ける身の回り品であれば、その種類を特に限定することなく、児童に対する凶悪な犯罪を防止することが可能となる。
【考案の効果】
【０００９】
本考案に係る児童犯罪防止のための身の回り品によれば、第三者に直ちに視認される顔写真等からなる人物特定情報を表示することで、身体につける児童の人物特定が見ず知らずの第三者にも容易になる。また、万が一、児童が連れ去られるような犯罪が起きた場合には、その児童を覚えている第三者は、現場付近や他の場所においても、従来に比し極めて多くなると考えられる。よって、その発生場所、犯人特定等の捜査が有効に行えるようになり、犯罪の検挙率が極めて高くなる。したがって、結果的にそのような犯罪の防止に貢献することができる。
【考案を実施するための最良の形態】
【００１０】
以下、図面を参照しつつ、本考案の好ましい実施形態を説明する。図１は、本考案に係る身の回り品の一実施形態であるＴシャツの一例を示す図、図２は、その使用状態を示す図である。図１におけるＴシャツ１０は、児童２０が身に付けるものであり、その人物特定を可能とする人物特定情報１２を前面に表示したものである。
【００１１】
人物特定情報１２には、Ｔシャツ１０を着用する児童２０の顔写真１４、所属団体名１６、電話番号等による緊急連絡先１８が大きく表示されており、その人物特定情報１２は、洗濯等がされても容易に離脱しないような技法、例えば、熱転写法によりＴシャツ１０の表面に付着させることが望ましく、更に破損や汚れを生じさせないような技法、例えば、樹脂コーティングを施しておくことが望ましい。
【００１２】
また、人物特定情報１２は、見ず知らずの第三者がある程度離れた距離（例えば、１メートル以上の距離）から容易に視認することができ、そのＴシャツ１０を着用する児童２０を特定できるものでなければならない。したがって、例えば、顔写真１４は外周合計４０ｃｍ以上の大きさであることが望まれ、所属団体名１６、緊急連絡先１８の文字は３０ポイント以上の大きさであることが望まれる、一方、顔写真１４は正面写真であることが望ましく、所属団体名１６、緊急連絡先１８の文字は通常の書体（例えば、日本語については明朝体、ゴシック体、英語についてはセンチュリー、ローマン等の字体等）であることが望ましい。
【００１３】
なお、人物特定情報１２に、顔写真１４の撮影時期１９を含めても良い。児童２０は成長が早く、その顔や体格がすぐに変化するので、撮影時期１９がかなり前である場合にはある程度顔や体格が変化していても、その児童２０であることを特定できるからである。もちろん、人物特定情報１２に、その他の児童２０を特定できる情報、例えば、所属団体の住所、氏名を必要に応じて含めることができるのはもちろんである。
【００１４】
ただし、児童２０の氏名については、人物特定情報１２とは別途にＴシャツ１０の裏面に記載することにより、むしろ犯罪のターゲットとなり易い児童２０の安全性を確保する面で望ましく、必要な場合には、児童２０の人物特定も可能となるので極めて有効である。
【００１５】
ここで、図１においては、Ｔシャツ１０の表面における人物特定情報１２はその前面に表示されているが、その表示される部位に特に制限はない。したがって、第三者が直ちに視認可能な部位であればどこでも良く、例えば、Ｔシャツ１０の背面に大きく表示することもできる。
【００１６】
さらに、Ｔシャツ１０自体の形状、素材についての制限も特になく、長袖であっても、トレーナー、セーター、ジャンバーであっても、人物特定情報１２を同様に表示できる衣服であれば、児童に対する犯罪発生防止効果を発揮することができる。
【００１７】
図３は、本考案に係る身の回り品の一実施形態であるランドセル３０の一例を示す図、図４は、同様にくつ４０の一例を示す図、図５は、同様にかばん５０の一例を示す図、図６は、同様に腕時計６０の一例を示す図、図７は、同様に帽子７０の一例を示す図である。
【００１８】
このように通学、通園する児童が一般的に身体につける身の回り品について、第三者が直ちに視認可能な人物特定情報３２、４２、５２、６２を前記同様にそれらの表面に設けることで、児童に対する犯罪発生防止効果を発揮することができる。
【００１９】
本考案は上記実施の形態に限定されず、種々変更して実施することが可能である。例えば、上記実施の形態では、人物特定情報１２における顔写真１４は、児童２０のみを表示しているが、児童２０とその児童のケアーテーカー（例えば、両親や幼稚園や学校の先生、メイド、運転手）の顔写真を併せて表示しても良い。このようにすることで、顔写真に全く表示されていない者が怪しげに児童２０に話しかけていれば、凶悪犯罪発生の可能性が生じているということを第三者に容易に察知させることができる。
【００２０】
また、本考案は、児童犯罪の発生防止のみならず、大きなショッピングセンター等で児童が迷子になったときにも役立つことはもちろんである。
【図面の簡単な説明】
【００２１】
【図１】本考案の一実施の形態に係るＴシャツの一例を示す図である。
【図２】本考案の一実施の形態に係るＴシャツの使用状態を示す図である。
【図３】本考案の一実施の形態に係るランドセルの一例を示す図である。
【図４】本考案の一実施の形態に係るくつの一例を示す図である。
【図５】本考案の一実施の形態に係るかばんの一例を示す図である。
【図６】本考案の一実施の形態に係る腕時計の一例を示す図である。
【図７】本考案の一実施の形態に係る帽子の一例を示す図である。
【符号の説明】
【００２２】
１０  Ｔシャツ
１２  人物特定情報
１４  児童の顔写真
１６  所属団体名
１８  電話番号等による緊急連絡先
１９  撮影時期
２０  児童
３０  ランドセル
４０  くつ
５０  ランドセル
６０  腕時計
７０  帽子
【図１】
0003116988.tif 000003
【図２】
0003116988.tif 000004
【図３】
0003116988.tif 000005
【図４】
0003116988.tif 000006
【図５】
0003116988.tif 000007
【図６】
0003116988.tif 000008
【図７】
0003116988.tif 000009
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
児童が身体につける物品において、該児童の人物特定を可能とする人物特定情報を表示したことを特徴とする児童犯罪防止用Ｔシャツ。
【請求項２】
児童が身体につける物品において、該児童の人物特定を可能とする人物特定情報を表示したことを特徴とする児童犯罪防止用トレーナー。
【請求項３】
児童が身体につける物品において、該児童の人物特定を可能とする人物特定情報を表示したことを特徴とする児童犯罪防止用セーター。
【請求項４】
児童が身体につける物品において、該児童の人物特定を可能とする人物特定情報を表示したことを特徴とする児童犯罪防止用ジャンバー。
【請求項５】
児童が身体につける物品において、該児童の人物特定を可能とする人物特定情報を表示したことを特徴とする児童犯罪防止用ランドセル。
【請求項６】
児童が身体につける物品において、該児童の人物特定を可能とする人物特定情報を表示したことを特徴とする児童犯罪防止用かばん。
【請求項７】
児童が身体につける物品において、該児童の人物特定を可能とする人物特定情報を表示したことを特徴とする児童犯罪防止用くつ。
【請求項８】
児童が身体につける物品において、該児童の人物特定を可能とする人物特定情報を表示したことを特徴とする児童犯罪防止用腕時計。
【請求項９】
児童が身体につける物品において、該児童の人物特定を可能とする人物特定情報を表示したことを特徴とする児童犯罪防止用帽子。
【請求項１０】
前記人物特定情報には、少なくとも前記児童の顔写真、所属団体名、緊急連絡先が記載されていることを特徴とする請求項１乃至請求項９に記載の児童犯罪防止用Ｔシャツ、児童犯罪防止用トレーナー、児童犯罪防止用セーター、児童犯罪防止用ジャンバー、児童犯罪防止用ランドセル、児童犯罪防止用かばん、児童犯罪防止用くつ、児童犯罪防止用腕時計、児童犯罪防止用帽子。
【請求項１１】
前記人物特定情報は、前記物品の表面において直ちに視認可能な部位、大きさで表示されていることを特徴とする請求項１乃請求項１０に記載の児童犯罪防止用Ｔシャツ、児童犯罪防止用トレーナー、児童犯罪防止用セーター、児童犯罪防止用ジャンバー、児童犯罪防止用ランドセル、児童犯罪防止用かばん、児童犯罪防止用くつ、児童犯罪防止用腕時計、児童犯罪防止用帽子。

【手続補正３】
【補正対象書類名】明細書
【補正対象項目名】０００１
【補正方法】変更
【補正の内容】
【０００１】
本考案は、社会問題ともなっている誘拐、性犯罪など、児童に対する犯罪について、万が一これらが発生しようとする場合に現場付近の第三者が容易に視認できる児童犯罪防止用物品に関する。
【手続補正４】
【補正対象書類名】明細書
【補正対象項目名】０００５
【補正方法】変更
【補正の内容】
【０００５】
本考案は上記課題を解決するための手段として、請求項１に記載された考案は、児童が身体につける物品において、該児童の人物特定を可能とする人物特定情報を表示した児童犯罪防止用Ｔシャツであることを特徴とする。請求項２に記載された考案は、児童が身体につける物品において、該児童の人物特定を可能とする人物特定情報を表示した児童犯罪防止用トレーナーであることを特徴とする。請求項３に記載された考案は、児童が身体につける物品において、該児童の人物特定を可能とする人物特定情報を表示した児童犯罪防止用セーターであることを特徴とする。請求項４に記載された考案は、児童が身体につける物品において、該児童の人物特定を可能とする人物特定情報を表示した児童犯罪防止用ジャンバーであることを特徴とする。請求項５に記載された考案は、児童が身体につける物品において、該児童の人物特定を可能とする人物特定情報を表示した児童犯罪防止用ランドセルであることを特徴とする。請求項６に記載された考案は、児童が身体につける物品において、該児童の人物特定を可能とする人物特定情報を表示した児童犯罪防止用かばんであることを特徴とする。請求項７に記載された考案は、児童が身体につける物品において、該児童の人物特定を可能とする人物特定情報を表示した児童犯罪防止用くつであることを特徴とする。請求項８に記載された考案は、児童が身体につける物品において、該児童の人物特定を可能とする人物特定情報を表示した児童犯罪防止用腕時計であることを特徴とする。請求項９に記載された考案は、児童が身体につける物品において、該児童の人物特定を可能とする人物特定情報を表示した児童犯罪防止用帽子であることを特徴とする。
【手続補正５】
【補正対象書類名】明細書
【補正対象項目名】０００７
【補正方法】変更
【補正の内容】
【０００７】
また、請求項１０に記載された考案は、前記人物特定情報には、少なくとも前記児童の顔写真、所属団体名、緊急連絡先が記載されていることを特徴とする請求項１乃至請求項９に記載の児童犯罪防止用Ｔシャツ、児童犯罪防止用トレーナー、児童犯罪防止用セーター、児童犯罪防止用ジャンバー、児童犯罪防止用ランドセル、児童犯罪防止用かばん、児童犯罪防止用くつ、児童犯罪防止用腕時計、児童犯罪防止用帽子であることを特徴とする。さらに、請求項１１に記載された考案は、前記人物特定情報は、前記物品の表面において直ちに視認可能な部位、大きさで表示されていることを特徴とする請求項１乃請求項１０に記載の児童犯罪防止用Ｔシャツ、児童犯罪防止用トレーナー、児童犯罪防止用セーター、児童犯罪防止用ジャンバー、児童犯罪防止用ランドセル、児童犯罪防止用かばん、児童犯罪防止用くつ、児童犯罪防止用腕時計、児童犯罪防止用帽子であることを特徴とする。

【手続補正６】
【補正対象書類名】明細書
【補正対象項目名】０００９
【補正方法】変更
【補正の内容】
【０００９】
本考案に係る児童犯罪防止用物品によれば、第三者に直ちに視認される顔写真等からなる人物特定情報を表示することで、身体につける児童の人物特定が見ず知らずの第三者にも容易になる。また、万が一、児童が連れ去られるような犯罪が起きた場合には、その児童を覚えている第三者は、現場付近や他の場所においても、従来に比し極めて多くなると考えられる。よって、その発生場所、犯人特定等の捜査が有効に行えるようになり、犯罪の検挙率が極めて高くなる。したがって、結果的にそのような犯罪の防止に貢献することができる。